【手続補正書】
【提出日】平成25年9月24日(2013.9.24)
【手続補正１】
【補正対象書類名】明細書
【補正対象項目名】発明の名称
【補正方法】変更
【補正の内容】
【発明の名称】発電装置、捕捉対応発電装置およびその運転方法
【手続補正２】
【補正対象書類名】特許請求の範囲
【補正対象項目名】全文
【補正方法】変更
【補正の内容】
【特許請求の範囲】
【請求項１】
従来型発電部分（１）と、ＣＯ２発電部分（２）と、前記従来型発電部分（１）の煙道ガス流と前記ＣＯ２発電部分（２）の煙道ガス流を混合する煙道ガス・システムと、吸収プロセスまたは吸着プロセスにより混合煙道ガス（３７）からＣＯ２を除去するためのＣＯ２捕捉システム（１２）とを備える発電装置であって、前記従来型発電部分（１）が、化石燃料の蒸気発電装置またはガスタービン・ベースの発電装置であり、前記ＣＯ２発電部分（２）が、前記混合煙道ガス（３７）の質量流量からＣＯ２を捕捉するのに必要な熱および／または電力を少なくとも供給するように設計されている化石燃料の蒸気発電装置またはガスタービン・ベースの発電装置である発電装置。
【請求項２】
前記従来型発電部分（１）の前記煙道ガスが第１のＣＯ２濃度を有し、前記ＣＯ２発電部分（２）の前記煙道ガスが、前記第１のＣＯ２濃度とは異なる第２のＣＯ２濃度を有することを特徴とする請求項１に記載の発電装置。
【請求項３】
前記従来型発電部分（１）が化石燃料の蒸気発電装置であって前記ＣＯ２発電部分（２）がガスタービン・ベースの発電装置であるか、または前記従来型発電部分（１）がガスタービン・ベースの発電装置であって前記ＣＯ２発電部分（２）が化石燃料の蒸気発電装置であることを特徴とする請求項１または２に記載の発電装置。
【請求項４】
煙道ガスの再循環を有するガスタービン・ベースの発電装置を備えることを特徴とする請求項１から３のいずれか一つに記載の発電装置。
【請求項５】
前記従来型発電部分（１）および前記ＣＯ２発電部分（２）がガスタービン・ベースの発電装置であり、前記ＣＯ２発電部分（２）のガスタービンが煙道ガスの再循環を有し、前記従来型発電部分（１）が、煙道ガスの再循環を有しない、又は、前記ＣＯ２発電部分（２）の設計再循環率より低い設計再循環率を有することを特徴とする請求項１または２に記載の発電装置。
【請求項６】
前記ＣＯ２発電部分（２）が、前記ＣＯ２捕捉システム（１２）に低圧または中間圧の蒸気を供給するための少なくとも１つの背圧蒸気タービン（４）を有する複合サイクル発電装置であることを特徴とする請求項１から５のいずれか一つに記載の発電装置。
【請求項７】
前記背圧蒸気タービン（４）が、前記ＣＯ２捕捉システム（１２）の前記設計蒸気流を送出するようにサイズ設定されることを特徴とする請求項６に記載の発電装置。
【請求項８】
従来型発電部分（１）と、ＣＯ２捕捉装置を付加するのに必要なスペースと、ＣＯ２発電部分（２）と、前記従来型発電部分（１）の煙道ガス流と前記ＣＯ２発電部分（２）の煙道ガス流を混合する煙道ガス・システムと、吸収プロセスまたは吸着プロセスにより混合煙道ガス（３７）の質量流量からＣＯ２を除去するように設計されたＣＯ２捕捉システム（１２）とを備える捕捉対応発電装置であって、前記従来型発電部分（１）が、化石燃料の蒸気発電装置またはガスタービン・ベースの発電装置であり、前記ＣＯ２発電部分（２）が、前記混合煙道ガス（３７）の質量流量からＣＯ２を捕捉するのに必要な熱および／または電力を少なくとも供給するように設計されている化石燃料の蒸気発電装置またはガスタービン・ベースの発電装置である捕捉対応発電装置。
【請求項９】
前記従来型発電部分（１）および将来のＣＯ２捕捉発電部分（２）の煙道ガスが、それらの煙道ガスを放出するために隣同士に配置され、かつ、必要とされる煙道ガス配管を最小限にするために、前記煙道ガスを混合するのに必要なスペースおよび前記ＣＯ２捕捉システム（１２）に必要なスペースが続くようにレイアウトが設計されることを特徴とする請求項８に記載の捕捉対応発電装置。
【請求項１０】
前記レイアウトが、前記ＣＯ２発電部分（２）から前記ＣＯ２捕捉システム（１２）への電力および蒸気の供給ライン用のスペースを設けるように設計されることを特徴とする請求項８または９に記載の捕捉対応発電装置。
【請求項１１】
前記煙道ガス配管が、前記ＣＯ２発電部分（２）の将来の接続のための混合区間と、吸収プロセスまたは吸着プロセスによる将来のＣＯ２捕捉システム（１２）への接続用に準備された１つの閉じた分岐を有する煙道ガスのフラップまたはダンパと、排気筒に通じる１つの分岐とを備え、前記排気筒が、前記従来型発電部分（１）および前記将来のＣＯ２捕捉システム（１２）のまわりの前記将来のＣＯ２発電部分（２）の前記混合煙道ガス（３７）をバイパスするのに必要とされる流れ容量を有して設計されることを特徴とする請求項８から１０のいずれか一つに記載の捕捉対応発電装置。
【請求項１２】
ＣＯ２捕捉のない既存の化石燃料の従来型発電装置を、ＣＯ２捕捉を有する発電装置へと改造する方法であって、ＣＯ２発電部分、煙道ガス配管、および吸収プロセスまたは吸着プロセスによるＣＯ２捕捉システム（１２）が、前記既存の従来型発電部分に隣接して構築され、前記ＣＯ２捕捉システム（１２）が、前記従来型発電部分および前記ＣＯ２発電部分からの混合煙道ガス（３７）からＣＯ２を捕捉するように設計され、前記ＣＯ２発電部分が、少なくとも前記混合煙道ガス（３７）の質量流量からＣＯ２を捕捉するのに必要な電気エネルギーおよび／または熱エネルギーを供給するように設計されることを特徴とする方法。
【請求項１３】
前記従来型発電部分の運転中に、前記ＣＯ２捕捉システム（１２）、前記煙道ガス配管、および前記ＣＯ２発電部分（２）が構築され、前記既存の化石燃料の従来型発電部分の運転は、前記既存の化石燃料の従来型発電部分を、追加または変更された煙道ガス配管に接続して再作動させるときのみ中断されることを特徴とする請求項１２に記載の方法。
【請求項１４】
請求項１から７のいずれか一つに記載の発電装置を運転する方法であって、前記従来型発電部分（１）、前記ＣＯ２発電部分（２）、および吸収プロセスまたは吸着プロセスによるＣＯ２捕捉システム（１２）を起動し、有負荷にしたり無負荷にしたりする順序を、前記装置全体の運転を最適化するための制御パラメータとして用いることを特徴とする方法。
【請求項１５】
起動中および有負荷期間中のＣＯ２排出を最小限にするために、最初に前記ＣＯ２発電部分（１）が起動され、２番目に前記ＣＯ２捕捉システム（１２）が起動され、３番目に前記従来型発電部分（１）が起動されることを特徴とする請求項１４に記載の方法。
【請求項１６】
起動中および有負荷期間中、前記装置の総電力出力が、最初に前記従来型発電部分（１）およびＣＯ２発電部分（２）に負荷をかけることによって達成され、目標の総電力出力が達成された後に、前記ＣＯ２捕捉システム（１２）が、起動され、かつ／または目標捕捉率に到達するためにそのＣＯ２捕捉率が増加し、前記ＣＯ２捕捉システム（１２）の、立上り中および／または捕捉率の増加中に、前記装置の総計の電力出力がさらに増加されることを特徴とする請求項１４に記載の方法。
【請求項１７】
定常状態の運転をするために、前記ＣＯ２発電部分（２）の負荷が、前記全体の混合煙道ガス（３７）質量流量の関数として、前記混合煙道ガス（３７）流のＣＯ２含有量の関数として、前記ＣＯ２捕捉システム（１２）の電力需要またはこれらのパラメータの組合せの関数として制御され、前記従来型発電部分（１）の負荷設定が、前記発電装置の前記総電力出力を制御するのに用いられることを特徴とする請求項１４から１６のいずれか一つに記載の方法。